(57)【要約】【課題】  ハードディスク記録再生装置において、ハードディスク装置の動作停止後、電力の供給をオフしハードディスク装置を取り外すことができるようにする。【解決手段】  ハードディスク記録再生装置において、ハードディスク装置と、筐体と、ハードディスク装置の挿入口と、ハードディスク装置に電力を供給するコネクタと、ハードディスク装置への電力の供給線の接続と切断を切り換えるスイッチと、スイッチを切断にしたときハードディスク装置を停止させた後に供給線を切断する制御手段と、ハードディスク装置を挿入口に挿入する方向に移動可能で下面に凹部を有しハードディスク装置が挿入されたときスイッチを押して供給線を接続するレバーと、凹部に係合しスプリングでレバーに付勢され上下方向に移動可能でレバーが押し込まれたときレバーがスイッチを押す前でレバーに押されて下方に移動し筐体の孔部に挿入してハードディスク装置を固定するピンを備える。【選択図】      図２
2005190527.tif 000002
【特許請求の範囲】
【請求項１】
情報データを記録するハードディスク装置と、筐体と、前記筐体の前面に設けられ前記ハードディスク装置を挿入する挿入口と、前記挿入口から挿入された前記ハードディスク装置に接続し電力を供給するコネクタと、前記挿入口から挿入された前記ハードディスク装置へ電力を供給する供給線の接続と切断を切り換えるスイッチと、前記スイッチが供給線を切断に切り換えたとき前記ハードディスク装置の記録又は再生の動作を停止させた後、供給線を切断する制御手段と、前記ハードディスク装置を前記挿入口に挿入する方向に移動可能に取り付けられ下面に凹部を有し前記ハードディスク装置が挿入口に挿入されたとき前記スイッチを押して供給線を接続させるレバーと、前記凹部に係合しスプリングによって前記レバーに付勢されるとともに前記ハードディスク装置の底面の開口部を通して上下方向に移動可能に保持され、前記レバーが前記挿入口に押し込まれたとき前記レバーが前記スイッチを押す前の位置で前記凹部からずれ前記レバーに押されることによって下方に移動し前記ハードディスク装置の底面の開口部を通して前記筐体の孔部に挿入されてハードディスク装置を固定するピンとを備えることを特徴とするハードディスク記録再生装置。
【発明の詳細な説明】
【技術分野】
【０００１】
本発明は、ハードディスク装置を着脱可能なハードディスク記録再生装置に関する。
【背景技術】
【０００２】
図１は、ハードディスク記録再生装置の外観図である。ハードディスク記録再生装置は、オーディオデータ、ビデオデータ等をハードディスクに記録し再生するために用いられる。ハードディスク記録再生装置１は、着脱可能なハードディスク装置２、電力の供給線の接続（オン）と切断（オフ）とを切り換える電源スイッチ３を備える。ハードディスク装置２は、ハードディスク記録再生装置１に対してハードディスク装置２を着脱するとき使用者が手で保持するためのハンドル４を備える。
【０００３】
ハードディスク装置２をハードディスク記録再生装置１に取り付ける場合、使用者は、ハンドル４を手前に引き上げて、ハードディスク記録再生装置１の前面の挿入口１ａに挿入しハードディスク記録再生装置１内に押し込む（矢印Ａ方向）ことによって、ハードディスク装置２は挿入口内のコネクタに接続されて、ハードディスク記録再生装置１によって使用することができる。
【０００４】
ハードディスク装置２をハードディスク記録再生装置１から取り外す場合、使用者は、ハンドル４を手前に引き上げて、ハードディスク記録再生装置１をハードディスク記録再生装置１から引き出す（矢印Ｂ方向）ことによって、ハードディスク装置２は挿入口内のコネクタから外れ、ハードディスク記録再生装置１から取り外される。
【０００５】
従来のハードディスク記録再生装置は、ハードディスク装置を取り外す場合、電源スイッチがオンであるときに誤ってハードディスク装置を取り外してしまうことがあった。このような誤った使用を防止するために、ハードディスク装置の挿入口に、ハードディスク装置を掛止してハードディスク記録再生装置筐体内からの取り外しを抑止する掛止プレートを備え、掛止プレートの回動に応じてハードディスク装置への電力の供給のオンとオフとを切り換えるハードディスク記録再生装置があった（特許文献１参照）。
【０００６】
また、ディスク装置において、メカユニットの組込み又は取り出しに連動して、電力の供給を接続又は遮断する電源開閉手段を備えたディスク装置があった（特許文献２参照）。
【０００７】
また、ハードディスク記録再生装置にハードディスク装置のロック機構を備え、ハードディスク装置をハードディスク記録再生装置から取り外す場合、ハードディスク装置の記録又は再生のための磁気ヘッドのアクセス動作が終了したことを判別した後、モータによってロック機構を解除するハードディスク記録再生装置があった（特許文献３参照）。
【０００８】
【特許文献１】特開平９−２３１７３４号公報
【特許文献２】特開平１１−１１０８８６号公報
【特許文献３】特開２００２−２８１１９７号公報
【発明の開示】
【発明が解決しようとする課題】
【０００９】
特許文献１に記載された装置は、ハードディスク装置の取り外しを抑止する掛止機構の解除とハードディスク装置の取り外しをほぼ同時に行うことができるため、ハードディスク装置の磁気ヘッドが記録又は再生の動作中であっても、その動作が停止する前に電力の供給がオフされハードディスク装置が取り外される虞があった。
【００１０】
特許文献２に記載された装置は、メカユニットの組込み又は取り外しに連動して電力の供給を接続又は遮断するものであるが、メカユニットの電力供給端子の短絡を防止するために、メカユニットの取り外し操作の開始と電力の供給の遮断をほぼ同時に行うことができるため、メカユニット内にハードディスク装置を備えた場合、ハードディスク装置の磁気ヘッドが記録又は再生の動作中であっても、その動作が停止する前に電力の供給がオフされハードディスク装置が取り外される虞があった。
【００１１】
特許文献３に記載された装置は、ハードディスクの記録又は再生のための磁気ヘッドのアクセス動作を終了してからハードディスク装置のロックを解除するためにモータを使用し、そのための駆動電力を必要とした。
【００１２】
本発明の目的とするところは、ハードディスク記録再生装置において、駆動電力を必要としない機構で、ハードディスク装置の動作が停止した後にハードディスク装置を取り外すことができるようにしたハードディスク記録再生装置を提供することにある。
【課題を解決するための手段】
【００１３】
本発明の請求項１に記載のハードディスク記録再生装置は、情報データを記録するハードディスク装置と、筐体と、前記筐体の前面に設けられ前記ハードディスク装置を挿入する挿入口と、前記挿入口から挿入された前記ハードディスク装置に接続し電力を供給するコネクタと、前記挿入口から挿入された前記ハードディスク装置へ電力を供給する供給線の接続と切断を切り換えるスイッチと、前記スイッチが供給線を切断に切り換えたとき前記ハードディスク装置の記録又は再生の動作を停止させた後、供給線を切断する制御手段と、前記ハードディスク装置を前記挿入口に挿入する方向に移動可能に取り付けられ下面に凹部を有し前記ハードディスク装置が挿入口に挿入されたとき前記スイッチを押して供給線を接続させるレバーと、前記凹部に係合しスプリングによって前記レバーに付勢されるとともに前記ハードディスク装置の底面の開口部を通して上下方向に移動可能に保持され、前記レバーが前記挿入口に押し込まれたとき前記レバーが前記スイッチを押す前の位置で前記凹部からずれ前記レバーに押されることによって下方に移動し前記ハードディスク装置の底面の開口部を通して前記筐体の孔部に挿入されてハードディスク装置を固定するピンとを備える。
【発明の効果】
【００１４】
本発明のハードディスク記録再生装置によれば、ハードディスク装置を取り外す場合、ハードディスクの記録又は再生の停止後に、ハードディスク装置への電力の供給をオフし、その後に取り外すことができる。
【発明を実施するための最良の形態】
【００１５】
図２は、本発明のハードディスク記録再生装置の一実施例の構成を示す図である。図２は、図１に示す外観のハードディスク記録再生装置１に適用され、挿入口１ａに挿入されたハードディスク装置２を側面から見た拡大図である。
ハードディスク記録再生装置１は、筐体内部に、スイッチ６、コネクタ７、孔部９、制御部１１を備える。スイッチ６は、挿入口１ａ内でハードディスク装置２への電力の供給線の接続と切断を切り換える。コネクタ７は、挿入口１ａ内でハードディスク装置２に接続し、ハードディスク装置２に電力を供給する。孔部９は、ハードディスク装置２を固定するときハードディスク装置２のピン８を挿入する。制御部１１は、マイクロコンピュータとそのプログラムによって構成され、スイッチ６がオフされたとき、コネクタ７を介して、ハードディスク装置２の記録又は再生のための磁気ヘッドのアクセス動作を停止させた後、ハードディスク装置２への電力の供給をオフする制御を行う。
【００１６】
ハードディスク装置２は、ハンドル４、レバー５、ピン８、スプリング１０を備える。
ハンドル４は、ハードディスク装置２の、ハードディスク記録再生装置１への取り付け、又はハードディスク記録再生装置１からの取り外しを行うとき、使用者が手前に持ち上げて手で握って保持するものである。ハンドル４は、レバー５に回動自在に保持されている。レバー５は、ハードディスク装置２に、ハードディスク装置２を挿入口に挿入する方向に移動可能に取り付けられ、下面に凹部を有する。ハードディスク装置２を挿入口１ａ内に挿入するとき、使用者がレバー５を押し込むことによって、レバー５はスイッチ６を押す。制御部１１は、スイッチ６が押されたことを検出し、ハードディスク装置２への電力の供給をオンにし、コネクタ７を介してハードディスク装置２に電力が供給される。
【００１７】
ピン８は、レバー５の凹部５ａに係合しスプリング１０によってレバーに付勢され、ハードディスク装置２の底面の開口部を通して上下方向に移動可能に保持される。ピン８は、レバー５が挿入口１ａ内に押し込まれたとき、レバー５がスイッチ６を押す手前の位置で凹部５ａからずれレバー５の下面に押されて下方に移動し、ハードディスク装置２の底面の開口部を通して挿入口１ａ内の孔部９に挿入してハードディスク装置２を固定する。
【００１８】
図３、図４、図５は、本発明のハードディスク記録再生装置の一実施例の構成を示す。図３、図４、図５は、図１に示す外観のハードディスク記録再生装置１に適用され、挿入口１ａに挿入されたハードディスク装置２を側面から見た拡大図である。ハードディスク装置２をハードディスク記録再生装置１から取り外す場合について説明する。
図３は、ハードディスク装置２をオーディオ装置本体１から取り外すため、ハンドル４を持ち上げて矢印Ｂ方向へ引いたときの配置である。ハンドル４とともにレバー５も引き出され、スイッチ６がオフになる。制御部１１は、スイッチ６がオフになったことを検出すると、コネクタ７を介して、ハードディスク装置２の記録又は再生の磁気ヘッドのアクセス動作を停止させた後、ハードディスク装置２への電力の供給をオフする。
【００１９】
図３に示す状態では、ピン８はレバー５によって押し下げられ孔部９に挿入されていて、ハードディスク装置２は固定され、コネクタ１１はハードディスク装置２に接続されている。
図４は、図３の配置から更にハンドル４及びレバー５を引き出したときの配置を示す。レバー５が引き出されて、凹部５ａがピン８の位置に来る。ピン８はスプリング８ａによってレバー５に付勢されているので、凹部５ａの位置で上方へ移動し、孔部９から抜けるので、ハードディスク装置２の固定が解除される。
【００２０】
レバー４が、図３に示す位置から図４に示す位置に移動する時間に、制御部１１は、ハードディスク装置２の動作を停止させ電力の供給をオフする。
図５は、図４の配置から更にハンドル４及びレバー５を引き出したときの配置を示す。
レバー５は、図４に示す位置まで引き出されると、ハードディスク装置２内の図示しない引掛け部によってハードディスク装置２と係合する。ハードディスク装置２の固定は解除されているので、ハンドル４を矢印Ｂの方向へ引き出すと、レバー５がハードディスク装置２に係合しているのでハードディスク装置２は、コネクタ１１から外れ、ハードディスク記録再生装置１から取り外される。
【００２１】
以上のように、本実施例のハードディスク記録再生装置１は、レバー５の、図３に示す位置から図４に示す位置への移動に要する時間によって、ハードディスク装置２を停止させ電力の供給をオフする時間を確保している。レバー５の、図３に示す位置から図４に示す位置への移動距離を変更することによってその移動所要時間を調整し、ハードディスク装置２を停止させ電力の供給をオフする時間を確保することができる。
【図面の簡単な説明】
【００２２】
【図１】ハードディスク記録再生装置の外観図である。
【図２】本発明のハードディスク記録再生装置の一実施例の構成を示す図である。
【図３】本発明のハードディスク記録再生装置の一実施例の構成を示す図である。
【図４】本発明のハードディスク記録再生装置の一実施例の構成を示す図である。
【図５】本発明のハードディスク記録再生装置の一実施例の構成を示す図である。
【符号の説明】
【００２３】
１  ハードディスク記録再生装置
２  ハードディスク装置
３  電源スイッチ
４  ハンドル
５  レバー
５ａ  凹部
６  スイッチ
７  コネクタ
８  ピン
９  孔部
１０  スプリング
１１  制御部
【図１】
2005190527.tif 000003
【図２】
2005190527.tif 000004
【図３】
2005190527.tif 000005
【図４】
2005190527.tif 000006
【図５】
2005190527.tif 000007